(57)【要約】【課題】、ツリー形式でデータが表示された画面において、ツリーが折りたたまれた状態でもデータを確認できる。【解決手段】複数の階層のグループで分類されたデータを取得するデータ取得部１１と、データ取得部１１により取得されたデータをグループとともに一覧表示した第１画面を生成する第１画面生成部１２と、データ取得部１１により取得されたデータをグループとともにツリー形式で表示した第２画面を生成する第２画面生成部１３と、第１画面生成部１２により生成された第１画面を第１表示領域に表示し、第２画面生成部１３により生成された第２画面を第２表示領域に表示した画面を生成する統合画面生成部１４とを備え、第２画面生成部１３は、第２画面に表示したグループに対し、当該グループに属するデータを並列表示する。【選択図】図１
2019003419.tif 000002
【特許請求の範囲】
【請求項１】
複数の階層のグループで分類されたデータを取得するデータ取得部と、
前記データ取得部により取得されたデータをグループとともに一覧表示した第１画面を生成する第１画面生成部と、
前記データ取得部により取得されたデータをグループとともにツリー形式で表示した第２画面を生成する第２画面生成部と、
前記第１画面生成部により生成された第１画面を第１表示領域に表示し、前記第２画面生成部により生成された第２画面を第２表示領域に表示した画面を生成する統合画面生成部とを備え、
前記第２画面生成部は、第２画面に表示したグループに対し、当該グループに属するデータを並列表示する
ことを特徴とするエンジニアリングツール。
【請求項２】
前記第２画面生成部は、第２画面に表示したグループのうちの最下位の階層のグループに対し、当該グループに属するデータを並列表示する
ことを特徴とする請求項１記載のエンジニアリングツール。
【請求項３】
前記データは複数の系統が存在し、
前記第２画面生成部は、前記第１画面に対して選択された系統のデータの前記並列表示を行う
ことを特徴とする請求項１又は請求項２記載のエンジニアリングツール。
【請求項４】
前記第２画面生成部は、前記第２画面においてデータが展開された場合には、当該データの前記並列表示は行わない
ことを特徴とする請求項１から請求項３のうちの何れか１項記載のエンジニアリングツール。
【発明の詳細な説明】
【技術分野】
【０００１】
この発明は、第１表示領域及び第２表示領域を有する画面を表示するエンジニアリングツールに関する。
【背景技術】
【０００２】
ビル等の建物内に設置された機器の管理を行う管理システムにおいて、機器の設定を行うエンジニアリングツールが従来から知られている（例えば特許文献１参照）。
【先行技術文献】
【特許文献】
【０００３】
【特許文献１】特開２０１４−１５３８２７号公報
【発明の概要】
【発明が解決しようとする課題】
【０００４】
エンジニアリングツールでは、機器に関するデータを示す画面の表示を行う。なお、上記データは、複数の階層のグループで分類されている。また、上記画面は、表示領域として、コンテンツペイン及びプロパティペインを有している。
コンテンツペインには、上記データがグループとともに一覧表示される。また、プロパティペインには、上記データがグループとともにツリー形式で表示される。ツリー形式では、ツリーを折りたたみ及び展開可能である。
しかしながら、従来のエンジニアリングツールでは、プロパティペインにおいて、ツリーが折りたたまれた状態では、データを確認できないという課題がある。
【０００５】
この発明は、上記のような課題を解決するためになされたもので、ツリー形式でデータが表示された画面において、ツリーが折りたたまれた状態でもデータを確認できるエンジニアリングツールを提供することを目的としている。
【課題を解決するための手段】
【０００６】
この発明に係るエンジニアリングツールは、複数の階層のグループで分類されたデータを取得するデータ取得部と、データ取得部により取得されたデータをグループとともに一覧表示した第１画面を生成する第１画面生成部と、データ取得部により取得されたデータをグループとともにツリー形式で表示した第２画面を生成する第２画面生成部と、第１画面生成部により生成された第１画面を第１表示領域に表示し、第２画面生成部により生成された第２画面を第２表示領域に表示した画面を生成する統合画面生成部とを備え、第２画面生成部は、第２画面に表示したグループに対し、当該グループに属するデータを並列表示することを特徴とする。
【発明の効果】
【０００７】
この発明によれば、上記のように構成したので、ツリー形式でデータが表示された画面において、ツリーが折りたたまれた状態でもデータを確認できる。
【図面の簡単な説明】
【０００８】
【図１】この発明の実施の形態１に係るエンジニアリングツールの構成例を示す図である。
【図２】この発明の実施の形態１に係るエンジニアリングツールによる画面表示動作例を示すフローチャートである。
【図３】従来のエンジニアリングツールによる画面表示例を示す図である。
【図４】この発明の実施の形態１に係るエンジニアリングツールによる画面表示例を示す図である。
【図５】この発明の実施の形態１に係るエンジニアリングツールによる画面表示例（データまで展開した場合）を示す図である。
【発明を実施するための形態】
【０００９】
以下、この発明の実施の形態について図面を参照しながら詳細に説明する。
実施の形態１．
図１はこの発明の実施の形態１に係るエンジニアリングツール１の構成例を示す図である。
エンジニアリングツール１は、ビル等の建物内に設置された機器の管理を行う管理システムにおいて、機器の設定を行う。以下では、エンジニアリングツール１が有する機能のうち、機器に関するデータを示す画面の表示に関する機能についてのみ説明を行う。このエンジニアリングツール１は、図１に示すように、データ取得部１１、第１画面生成部１２、第２画面生成部１３、統合画面生成部１４及び表示部１５を備えている。なお、エンジニアリングツール１は、システムＬＳＩ等の処理回路や、メモリ等に記憶されたプログラムを実行するＣＰＵ等により実現される。
【００１０】
データ取得部１１は、機器に関するデータを取得する。なお、データ取得部１１は、上記データとして、エンジニアリングツール１で保持されているデータ又は機器で保持されているデータを取得する。上記データは、複数の階層のグループで分類されている。また、上記データは複数の系統が存在する場合がある。
【００１１】
第１画面生成部１２は、データ取得部１１により取得されたデータをグループとともに一覧表示した第１画面を生成する。なお、上記データが複数系統存在する場合には、第１画面生成部１２は、全ての系統のデータを一覧表示する。
【００１２】
第２画面生成部１３は、データ取得部１１により取得されたデータをグループとともにツリー形式で表示した第２画面を生成する。ツリー形式では、ツリーを折りたたみ及び展開可能である。なお、第２画面は、初期表示ではツリーが折りたたまれた状態となっている。また、第２画面生成部１３は、第２画面に表示したグループ（通常は、第２画面に表示したグループのうちの最下位の階層のグループのみ）に対し、当該グループに属するデータを並列表示する。なお、上記データが複数系統存在する場合には、第２画面生成部１３は、第１画面に対して選択された系統のデータの上記並列表示を行う。また、第２画面生成部１３は、第２画面においてデータが展開された場合には、当該データの上記並列表示は行わない。
【００１３】
統合画面生成部１４は、第１画面生成部１２により生成された第１画面をコンテンツペイン（第１表示領域）に表示し、第２画面生成部１３により生成された第２画面をプロパティペイン（第２表示領域）に表示した画面を生成する。
【００１４】
表示部１５は、統合画面生成部１４により生成された画面を表示する。なお図１では、表示部１５が、エンジニアリングツール１の内部に設けられた場合を示したが、これに限らず、エンジニアリングツール１の外部に設けられてもよい。
【００１５】
次に、実施の形態１に係るエンジニアリングツール１による画面表示動作例について、図２〜５を参照しながら説明する。
エンジニアリングツール１による画面表示動作例では、図２に示すように、まず、データ取得部１１は、機器に関するデータを取得する（ステップＳＴ１）。上記データは、複数の階層のグループで分類されている。また、上記データは複数の系統が存在する場合がある。
【００１６】
次いで、第１画面生成部１２は、データ取得部１１により取得されたデータをグループとともに一覧表示した第１画面を生成する（ステップＳＴ２）。なお、上記データが複数系統存在する場合には、第１画面生成部１２は、全ての系統のデータを一覧表示する。
【００１７】
また、第２画面生成部１３は、データ取得部１１により取得されたデータをグループとともにツリー形式で表示した第２画面を生成する（ステップＳＴ３）。ツリー形式では、ツリーを折りたたみ及び展開可能である。また、第２画面生成部１３は、第２画面に表示したグループ（通常は、第２画面に表示したグループのうちの最下位の階層のグループのみ）に対し、当該グループに属するデータを並列表示する。なお、上記データが複数系統存在する場合には、第２画面生成部１３は、第１画面に対して選択された系統のデータの上記並列表示を行う。また、第２画面生成部１３は、第２画面においてデータが展開された場合には、当該データの上記並列表示は行わない。
【００１８】
次いで、統合画面生成部１４は、第１画面生成部１２により生成された第１画面をコンテンツペインに表示し、第２画面生成部１３により生成された第２画面をプロパティペインに表示した画面を生成する（ステップＳＴ４）。
【００１９】
次いで、表示部１５は、統合画面生成部１４により生成された画面を表示する（ステップＳＴ５）。
【００２０】
ここで、従来のエンジニアリングツールでは、例えば図３に示すような画面を表示する。図３に示す画面は、コンテンツペイン３０１及びプロパティペイン３０２を有している。コンテンツペイン３０１には、データがグループとともに一覧表示されている。図３に示すコンテンツペイン３０１では、データがグループ毎に列方向（横方向）に表示されている。また、上記データは複数系統存在し、図３に示すコンテンツペイン３０１では、各系統のデータが行方向（縦方向）に表示されている。また、プロパティペイン３０２には、データがグループとともにツリー形式で表示されている。
【００２１】
図３に示すように、従来のエンジニアリングツールでは、プロパティペイン３０２においてツリーが折りたたまれている場合には、データは表示されない。よって、この場合には、ユーザはプロパティペイン３０２上ではデータを確認できない。図３に示すプロパティペイン３０２では、最上位の階層のグループ「１」，「２」，・・・，「１６」が表示されているのみであり、当該グループに属するデータは確認できない。
また、コンテンツペイン３０１では、データが一覧表示されているため、同一階層の異なるグループに属するデータ同士を比較する場合には、画面のスクロール（図３では横スクロール）が必要となる。例えば図３に示す画面において、グループ「１」に属するデータとグループ「１６」に属するデータを比較する場合には、ユーザが一方のデータを覚えた上で横スクロールを行って他方のデータと比較する必要がある。
【００２２】
それに対し、実施の形態１に係るエンジニアリングツール１では、第２画面生成部１３が、第２画面に表示したグループ（通常は、第２画面に表示したグループのうちの最下位の階層のグループのみ）に対し、当該グループに属するデータを並列表示する。これにより、例えば図４に示すように、ツリーが折りたたまれている場合であっても、表示されたグループに対し、データが並列表示される。図４に示すプロパティペイン４０２では、ツリーが折りたたまれており、最上位の階層のグループ「１」，「２」，・・・，「１６」に対し、当該グループに属するデータがカンマで区切られてそれぞれ並列表示されている。このような表示により、ツリーが折りたたまれている場合であっても、ユーザはプロパティペイン４０２上でデータを確認できる。また、プロパティペイン４０２上でデータを並列表示することで、同一階層の他のグループに属するデータが縦方向に表示され、比較が容易となる。なお、図４に示すコンテンツペイン４０１は、図３に示すコンテンツペイン３０１と同一である。
【００２３】
但し、グループに属するデータの数が多い場合には、プロパティペイン４０２上での並列表示数が多くなるため、画面のスクロール（横スクロール）が必要となる場合がある。そのため、この場合には、コンテンツペイン４０１とプロパティペイン４０２との組合わせでデータを捉えることが効果的である。
【００２４】
また図５に示すように、第２画面生成部１３は、プロパティペイン４０２においてデータが展開されている場合には、当該データの上記並列表示は行わない。図５に示す例では、グループ「５」において、データ「０」，「２  ＷＪ−１」，「４  Ｐｏｗｅｒ  Ｆａｉｌｕｒｅ」まで展開されている。そのため、それらのデータが属するグループ「５」，「Ｃｏｍｍａｎｄ（どのような現在値が設定されているかを示す項目）」，「Ｃｏｍｍａｎｄｅｒ」，「Ｄｅｖｉｃｅ（どの機器（ＰＣを含む）からコマンドが発行されたかを示す項目）」，「Ｆｕｎｃｔｕｉｎ（どのようなコマンド（火災又は停電等）かを示す項目）」にはデータが並列表示されない。これにより、重複するデータの表示を避け、視認性の向上を図ることができる。
【００２５】
以上のように、この実施の形態１によれば、複数の階層のグループで分類されたデータを取得するデータ取得部１１と、データ取得部１１により取得されたデータをグループとともに一覧表示した第１画面を生成する第１画面生成部１２と、データ取得部１１により取得されたデータをグループとともにツリー形式で表示した第２画面を生成する第２画面生成部１３と、第１画面生成部１２により生成された第１画面を第１表示領域に表示し、第２画面生成部１３により生成された第２画面を第２表示領域に表示した画面を生成する統合画面生成部１４とを備え、第２画面生成部１３は、第２画面に表示したグループに対し、当該グループに属するデータを並列表示するので、ツリー形式でデータが表示された画面において、ツリーが折りたたまれた状態でもデータを確認できる。
【００２６】
なお、本願発明はその発明の範囲内において、実施の形態の任意の構成要素の変形、もしくは実施の形態の任意の構成要素の省略が可能である。
【符号の説明】
【００２７】
１  エンジニアリングツール
１１  データ取得部
１２  第１画面生成部
１３  第２画面生成部
１４  統合画面生成部
１５  表示部
【図１】
2019003419.tif 000003
【図２】
2019003419.tif 000004
【図３】
2019003419.tif 000005
【図４】
2019003419.tif 000006
【図５】
2019003419.tif 000007